(57)【要約】【課題】ノーマルリーチ回数およびスーパーリーチ回数が各々表示される遊技台のリーチ回数表示装置の提供。【解決手段】リーチ回数表示装置Ａは、遊技台が非リーチ状態であるかリーチ状態であるかを判別するリーチ判別部と、遊技台が発する光を感知する光センサ２と、ノーマルリーチカウント回路３、スーパーリーチカウント回路４と、リセット回路５と、ＬＥＤ駆動回路６１、７１と、ノーマルリーチＬＥＤ６、スーパーリーチＬＥＤ７（表示部）とを備え、遊技台本体の近傍で、遊技者から良く見える、呼出ランプエリアや台間に表示部が設置され、ノーマルリーチ回数およびスーパーリーチ回数が各々表示される。【選択図】　　　　図２
2004049332.tif 000002
【特許請求の範囲】
【請求項１】
遊技台の背面側に配され、前記遊技台が発する音、振動、または光の内、少なくとも一つを感知するセンサと、
該センサが送出するセンサ信号に基づいて、前記遊技台が非リーチ状態であるかリーチ状態であるかを判別するリーチ状態判別手段と、
非リーチ状態からリーチ状態に変移したことを前記リーチ状態判別手段が判別すると、判別する毎にリーチカウンタを加算していくリーチ回数加算手段と、
該リーチ回数加算手段の前記リーチカウンタの数値を所定の様式で表示するリーチ回数表示器とを備える遊技台のリーチ回数表示装置。
【請求項２】
遊技台の背面側に配され、前記遊技台が発する音、振動、または光の内、少なくとも一つを感知するセンサと、
該センサが送出するセンサ信号に基づいて、前記遊技台が非リーチ状態であるか、ノーマルリーチ状態であるか、またはスーパーリーチ状態であるかを判別するリーチ状態判別手段と、
非リーチ状態から何れかのリーチ状態に変移するか、ノーマルリーチ状態からスーパーリーチ状態に変移したことを前記リーチ状態判別手段が判別すると、判別する毎に該当するリーチカウンタを加算していくリーチ回数加算手段と、
該リーチ回数加算手段の各リーチカウンタのそれぞれの数値を所定の様式で表示するリーチ回数表示器とを備える遊技台のリーチ回数表示装置。
【請求項３】
前記センサは、前記遊技台が発する光を感知する光センサであり、
前記リーチ状態判別手段は、非リーチ、ノーマルリーチ、およびスーパーリーチの各状態で、前記遊技台が発する光の有無や点滅周期が異なることに着目して状態を判別することを特徴とする請求項２記載の遊技台のリーチ回数表示装置。
【請求項４】
前記遊技台が大当たり状態になった場合には、リセット手段が前記リーチ回数加算手段のリーチカウンタをゼロに戻すことを特徴とする請求項１乃至請求項３の何れかに記載の遊技台のリーチ回数表示装置。
【請求項５】
前記リーチ回数表示器は、前記リーチ回数加算手段の各リーチカウンタのそれぞれの数値を異なる色でデジタル表示することを特徴とする請求項２乃至請求項４の何れかに記載の遊技台のリーチ回数表示装置。
【請求項６】
前記リーチ状態判別手段がスーパーリーチ状態を判別した場合には、スーパーリーチ信号を外部に出力することを特徴とする請求項２乃至請求項５の何れかに記載の遊技台のリーチ回数表示装置。
【発明の詳細な説明】
【０００１】
【発明の属する技術分野】
本発明は、賞球が出る入賞口に入る様に玉を打ち込む遊技台（通称パチンコ台）に設置する遊技台のリーチ回数表示装置に関する。
【０００２】
【従来の技術】
通称ＣＲ機と呼ばれるプリペイド式の遊技台は以下の様に遊技される。
スタートチャッカーと呼ばれる入賞口に玉が入ると、所定個数（例えば１５個）の賞球が出るとともに、デジタルの絵柄が回転を開始する。
【０００３】
数字を含む特定の絵柄がルーレットの有効ライン上に並ぶと、大当り状態となり、盤面下方のアタッカーと呼ばれる入賞口が所定期間（玉１０個入賞迄か３０秒間）開放状態を維持し、その間にアタッカー内の連続役モノ作動口（通称Ｖゾーン）に玉が入れれば開放条件を、最大１６ラウンド更新する。
【０００４】
これにより、大量（約２３００個）の賞球を出すことができ、出玉を特殊景品等と交換することができる。
なお、特定の絵柄の大部分がルーレットの有効ライン上に並んだ場合（ノーマルリーチ、スーパーリーチ）には、効果音や発光でリーチアクションを行い、大当りに発展する可能性が高いことを遊技者に知らせる。
【０００５】
ノーマルリーチから大当りになる確率や、スーパーリーチから大当りになる確率は、予め遊技台に設定（例えば、１／１０、１／２６６）されている。
このため、前回の大当りが終了してから、ノーマルリーチやスーパーリーチになった回数が多い遊技台は再び大当りになる可能性が高く、大当りが終了して間がない遊技台は再び大当りになる可能性が低いことになる。
【０００６】
このため、以下に示す技術が従来より知られている。
リーチ時にルーレットから出力されるリーチ信号を計数回路が計数し、その計数結果をリーチ回数表示部に表示する（従来技術１；特開２０００−　２８８２１６号）。
【０００７】
リーチ回数表示装置は、（スタート時間）＞（登録スタート時間）の場合にリーチ信号を発し、これをリーチカウント手段がカウントし、呼び出しランプに送信する（従来技術２；特開平１０−　１５１２６７号）。
【０００８】
【発明が解決しようとする課題】
リーチ状態になった時にリーチ信号を出力する遊技台は極一部であるので、全ての遊技台に適用することはできない（従来技術１）。
【０００９】
リーチ時に、（スタート時間）＞（登録スタート時間）となる遊技台は極一部であるので、全ての遊技台に装着することはできない（従来技術２）。
【００１０】
ワイヤーを遊技台に直接、繋ぐ（電気接続）必要があるので、当局の許可を取る必要がある（従来技術１、２）。
表示器に表示される数字を遊技者が見ても、ノーマルリーチ回数か、スーパーリーチ回数か、その合計回数かは判らない（従来技術１、２）。
【００１１】
本発明の第１の目的は、リーチ検出用のワイヤーを遊技台に電気接続することなくリーチ回数が表示される遊技台のリーチ回数表示装置の提供にある。
【００１２】
本発明の第２の目的は、ノーマルリーチ回数およびスーパーリーチ回数が各々表示される遊技台のリーチ回数表示装置の提供にある。
【００１３】
本発明の第３の目的は、多種類の遊技台に適用可能であるとともに、リーチ検出用のワイヤーを遊技台に電気接続する必要がない遊技台のリーチ回数表示装置の提供にある。
【００１４】
【課題を解決するための手段】
［請求項１について］
遊技台のリーチ回数表示装置は、センサとリーチ状態判別手段とリーチ回数加算手段とリーチ回数表示器とを備える。
【００１５】
センサは、遊技台の背面側に配され、遊技台が発する音、振動、または光の内、少なくとも一つを感知する。
リーチ状態判別手段は、センサが送出するセンサ信号に基づいて、遊技台が非リーチ状態であるかリーチ状態であるかを判別する。なお、非リーチ状態とリーチ状態とでは、遊技台が発する音、振動、または光のパターンの少なくとも一つが異なるので状態を判別することができる。
【００１６】
リーチ回数加算手段は、非リーチ状態からリーチ状態に変移したことをリーチ状態判別手段が判別すると、判別する毎にリーチカウンタを加算していく。
リーチ回数表示器は、リーチ回数加算手段のリーチカウンタの数値を所定の様式で表示する。
所定の様式とは、例えば、数値に対応した数字、数値に対応した長さのバー、数値に対応したＬＥＤ点灯数が考えられる。
【００１７】
リーチ回数表示装置は、遊技台が発する音、振動、または光の内、少なくとも一つをセンサが感知して、リーチ状態であるか否かをリーチ状態判別手段が判別する。
【００１８】
このため、多種類の遊技台に適用可能であるとともに、リーチ検出用のワイヤーを遊技台に電気接続することなく、非リーチ状態からリーチ状態に変移したリーチ回数をリーチ回数表示器に表示させることができる。
【００１９】
故に、遊技台を物色中の遊技者や遊技中の遊技者がリーチ回数表示器のリーチ回数を見れば、その遊技台が大当りになる可能性を容易に知ることができ、遊技者の射幸心を高めることができる。
【００２０】
［請求項２について］
遊技台のリーチ回数表示装置は、センサとリーチ状態判別手段とリーチ回数加算手段とリーチ回数表示器とを備える。
【００２１】
センサは、遊技台の背面側に配され、遊技台が発する音、振動、または光の内、少なくとも一つを感知する。
【００２２】
リーチ状態判別手段は、センサが送出するセンサ信号に基づいて、遊技台が非リーチ状態（通常状態）であるか、ノーマルリーチ状態であるか、またはスーパーリーチ状態であるかを判別する。なお、非リーチ状態、ノーマルリーチ状態、スーパーリーチ状態とでは、遊技台が発する音、振動、または光のパターンの少なくとも一つが異なるので、各々の状態を判別することができる。
【００２３】
リーチ回数加算手段は、非リーチ状態から何れかのリーチ状態に変移するか、ノーマルリーチ状態からスーパーリーチ状態に変移したことをリーチ状態判別手段が判別すると、判別する毎に該当するリーチカウンタを加算していく。
【００２４】
リーチ回数表示器は、リーチ回数加算手段の各リーチカウンタのそれぞれの数値を所定の様式で表示する。
所定の様式とは、例えば、数値に対応した数字、数値に対応した長さのバー、数値に対応したＬＥＤ点灯数が考えられる。
【００２５】
リーチ回数表示装置は、遊技台が発する音、振動、または光の内、少なくとも一つをセンサが感知して、遊技台が非リーチ状態であるか、ノーマルリーチ状態であるか、またはスーパーリーチ状態であるかをリーチ状態判別手段が判別する構成である。
【００２６】
このため、多種類の遊技台に適用可能であるとともに、リーチ検出用のワイヤーを遊技台に電気接続することなく、ノーマルリーチ状態になった回数、スーパーリーチ状態になった回数をリーチ回数表示器に各々表示させることができる。
【００２７】
故に、遊技台を物色中の遊技者や遊技中の遊技者が、リーチ回数表示器のノーマルリーチ回数とスーパーリーチ回数を見れば、その遊技台が大当りになる可能性を容易に知ることができ、遊技者の射幸心を高めることができる。
【００２８】
［請求項３について］
音や振動を感知するセンサであると、隣の遊技台からの音や振動を拾う虞がある。
しかし、センサが遊技台が発する光を感知する光センサであるので、隣の遊技台が発する光を感知せず、誤作動が防止できる。
非リーチ、ノーマルリーチ、およびスーパーリーチの各状態では、遊技台が発する光の有無や点滅周期が異なる。
このため、リーチ状態判別手段は、これに着目して状態を判別する。
【００２９】
［請求項４について］
遊技台が大当たり状態になると、加算したリーチ回数（ノーマルリーチ回数＆スーパーリーチ回数）が無意味になるので、リセット手段がリーチ回数加算手段のリーチカウンタをゼロに戻す。
【００３０】
［請求項５について］
リーチ回数表示器は、リーチ回数加算手段の各リーチカウンタのそれぞれの数値を異なる色でデジタル表示する。
これにより、遊技台を物色中の遊技者や遊技中の遊技者がリーチ回数表示器を一見すれば、ノーマルリーチ回数とスーパーリーチ回数とを容易に把握することができる。
【００３１】
［請求項６について］
リーチ状態判別手段がスーパーリーチ状態を判別した場合には、スーパーリーチ信号を外部に出力する。
これにより、スーパーリーチ信号が出力されていれば、その遊戯台がスーパーリーチ状態であることがホールの管理室等で把握できる。
【００３２】
【発明の実施の形態】
本発明の一実施例に係るリーチ回数表示装置Ａ（請求項１〜６に対応）を、図１〜図３に基づいて説明する。
図１、図２に示す如く、リーチ回数表示装置Ａは、リーチ判別部１と、光センサ２と、ノーマルリーチカウント回路３、スーパーリーチカウント回路４と、リセット回路５と、ＬＥＤ駆動回路６１、７１と、ノーマルリーチＬＥＤ６、スーパーリーチＬＥＤ７とを備え、遊技台本体の近傍で、遊技者から良く見える場所（呼出ランプエリアや台間）に表示部が設置されている。
【００３３】
光センサ２（本実施例ではフォトダイオード）は、遊技台の裏面側から所定のランプを臨む位置に配している。
【００３４】
本実施例では、リーチ回数表示装置Ａを、“海物語”（登録商標）という名称の遊技台に組み付けている。
この遊技台は、海の生物（魚、蛸、海老、鮫等）が液晶パネルの右方から左方へ移動するルーレットを採用している。
そして、この遊技台の盤面に配される所定のランプは、通常時に消灯状態を維持し、所定の生物が液晶パネル面で止まるノーマルリーチ時には約５Ｈｚの周期で点滅し、別の所定の生物が液晶パネル面で止まるスーパーリーチ時には約１０Ｈｚの周期で点滅する。
【００３５】
このため、光センサ２が出力するセンサ信号２０は、通常時にはローレベル状態を維持し、ノーマルリーチ時には約５Ｈｚの周期のパルス波形となり、スーパーリーチ時には約１０Ｈｚのパルス波形となる。
【００３６】
リーチ判別部１は、図２に示す如く、増幅器１０、フィルタ１１、増幅器１２、波形成形回路１３、ワンショットタイマ１４、１５、インバータ１６、ＡＮＤ回路１７、分周回路１８、ワンショットタイマ１９、２１、ＡＮＤ回路２２、２３、２４、２５、リセット出力回路２６、基準時間発生器２７、および分周回路２８からなる。
【００３７】
増幅器１０は、光センサ２が出力するセンサ信号２０を増幅する回路である。フィルタ１１は、増幅器１０の出力信号から不要の周波数成分を除去するためのものである。
増幅器１２は、フィルタ１１を通過した信号を適正レベルに増幅する回路である。
【００３８】
波形成形回路１３は、シュミット回路と組み合わせて、増幅器１２が出力する信号をパルス波形の信号に変換する回路である。
【００３９】
インバータ１６は、波形成形回路１３が出力するパルス波を反転させるための回路である。
【００４０】
基準時間発生器２７は、基準時間（８Ｈｚ）の方形波を作る回路である。
分周回路２８は、基準時間の方形波を１／１６分周して１秒間、オン状態になる信号を作る。
【００４１】
ＡＮＤ回路１７は、分周回路２８が出力する１秒間、オン状態になる信号と、インバータ１６が出力する信号とのＡＮＤを取り、結果を分周回路１８に出力する。
例えば、５Ｈｚの場合には５個のパルスを出力し、１０Ｈｚの場合には１０個のパルスを分周回路１８に出力する。
【００４２】
リセット出力回路２６は、分周回路２８の出力に基づいて１／１６秒のリセット信号を作り出し、分周回路１８へ出力する。
【００４３】
分周回路１８は、計測時間（１秒）と待機時間（１秒）とを合わせた２秒単位で作動し、４Ｈｚ以上の周期は１／４ラインへ出力し、８Ｈｚ以上の周期は１／８ラインへ出力する。
【００４４】
つまり、周期が５Ｈｚの場合にはワンショットタイマ１９だけにトリガーが加わる。また、周期が１０Ｈｚの場合にはワンショットタイマ１９、２１にトリガーが加わる。
これにより、ＡＮＤ回路２４、２５が、ノーマルリーチとスーパーリーチとを分離する。
【００４５】
ワンショットタイマ１４には、波形成形回路１３が出力するパルス信号が入力され、リーチ状態から通常状態に戻った際に動作して、ワンショットタイマ１５に終了信号を出力する。
【００４６】
ワンショットタイマ１５は、ワンショットタイマ１４からの終了信号を入力すると、リーチ状態が終了した旨のワンショットパルスをＡＮＤ回路２４、２５に出力する。
【００４７】
上述したリーチ判別部１は、光センサ２が出力するセンサ信号２０の波形に基づいて、遊技台が非リーチ状態であるか、ノーマルリーチ状態であるか、またはスーパーリーチ状態であるかを判別する（図３のステップｓ２、３、４）。
なお、リーチ判別部１がスーパーリーチ状態であると判別した場合には、外部にスーパーリーチ信号を出力する。
【００４８】
ローレベル状態（非リーチ状態）から約５Ｈｚの連続したパルス波形（ノーマルリーチ状態）に変移した場合には、リーチ判別部１はノーマルリーチパルスを１回、ノーマルリーチカウント回路３に出力する（ステップｓ４でＹＥＳ）。
【００４９】
ローレベル状態（非リーチ状態）または約５Ｈｚのパルス波形（ノーマルリーチ状態）から約１０Ｈｚの連続したパルス波形（スーパーリーチ状態）に変移した場合には、リーチ判別部１はスーパーリーチパルスを１回、スーパーリーチカウント回路４に出力する（ステップｓ３でＹＥＳ）。
【００５０】
ノーマルリーチカウント回路３は、メモリを有し、リーチ判別部１からノーマルリーチパルスが１回、出力される毎に、メモリに格納したノーマルリーチカウンタＮを一づつ増やしていく（ステップｓ５）。
また、スーパーリーチカウント回路４は、メモリを有し、リーチ判別部１からスーパーリーチパルスが１回、出力される毎に、メモリに格納したスーパーリーチカウンタＳを一づつ増やしていく（ステップｓ６）。
【００５１】
ＬＥＤ駆動回路６１は、ノーマルリーチカウント回路３のメモリに格納されたノーマルリーチカウンタＮの数値をノーマルリーチＬＥＤ６に表示させるための駆動回路である。
ＬＥＤ駆動回路７１は、スーパーリーチカウント回路４のメモリに格納されたスーパーリーチカウンタＳの数値をスーパーリーチＬＥＤ７に表示させるための駆動回路である。
【００５２】
ノーマルリーチＬＥＤ６は、七セグメントの緑色発光のＬＥＤであり、ノーマルリーチカウント回路３のメモリに格納されたノーマルリーチカウンタＮの数値を三桁の数字で表示する（ステップｓ１）。
スーパーリーチＬＥＤ７は、七セグメントの赤色発光のＬＥＤであり、スーパーリーチカウント回路４のメモリに格納されたスーパーリーチカウンタＳの数値を三桁の数字で表示する（ステップｓ１）。
なお、ノーマルリーチＬＥＤ６およびスーパーリーチＬＥＤ７とを半透明ケースに納めたものが表示部である。
【００５３】
リセット回路５は、遊技台が大当たり状態になった場合に、ＬＥＤ６、７に表示されているノーマルリーチ回数およびスーパーリーチ回数をゼロに戻すための回路である。
【００５４】
この遊技台は、他の全ての遊技台と同様に、大当たり状態になると、大当たり信号を呼び出しランプに送出する構造である。
この大当たり信号がリセット回路５に入力されると、加算回路３、４にリセット回路５がリセットパルスを送出する（ステップｓ２でＹＥＳ）。
【００５５】
これにより、加算回路３、４のメモリに格納された、ノーマルリーチカウンタＮおよびスーパーリーチカウンタＳの数値がゼロにクリヤーされる（ステップｓ７）。なお、大当たり信号は、呼び出しランプ、または呼び出しランプへの接続線からピックアップされる。
【００５６】
本実施例のリーチ回数表示装置Ａは、以下の利点を有する。
［ア］リーチ回数表示装置Ａは、センサに光センサ２を採用し、所定のランプを、遊技台の裏面側から臨む位置に配している。
そして、通常時に消灯し、ノーマルリーチ時に約５Ｈｚの周期で点滅し、スーパーリーチ時には約１０Ｈｚの周期で点滅する、光センサ２を臨ませた所定のランプの点滅に対応した、光センサ２のセンサ信号２０に基づいてリーチ判別部１が遊技台の状態を判別している。
【００５７】
これにより、リーチ回数表示装置Ａは、リーチ検出用のワイヤーを遊技台に電気接続することなく、ノーマルリーチ状態になった回数、スーパーリーチ状態になった回数をノーマルリーチＬＥＤ６、スーパーリーチＬＥＤ７に各々表示させることができる。
【００５８】
よって、遊技台を物色中の遊技者や遊技中の遊技者が、ノーマルリーチＬＥＤ６、スーパーリーチＬＥＤ７の各数字（ノーマルリーチ回数＆スーパーリーチ回数）を見れば、その遊技台が大当りになる可能性を容易に知ることができ、遊技者の射幸心を高めることができる。
なお、光センサ２は、音や振動を感知するセンサでないので、隣の遊技台からの音や振動を拾わず、誤作動が防止できる。
【００５９】
［イ］ノーマルリーチ回数が緑色発光のノーマルリーチＬＥＤ６に三桁の数字で表示され、スーパーリーチ回数が赤色発光のスーパーリーチＬＥＤ７に三桁の数字で表示される。
これにより、遊技台を物色中の遊技者や遊技中の遊技者がノーマルリーチＬＥＤ６、スーパーリーチＬＥＤ７を一見すれば、ノーマルリーチ回数とスーパーリーチ回数とを容易に把握することができる。
【００６０】
［ウ］大当たり信号がリセット回路５に入力されると、リセット回路５が、ノーマルリーチカウント回路３、スーパーリーチカウント回路４にリセットパルスを送出して、ノーマルリーチカウンタＮおよびスーパーリーチカウンタＳの数値をゼロに戻す構成である。
このため、遊技台が最後に大当たり状態になってから現在迄のノーマルリーチ回数＆スーパーリーチ回数を各ＬＥＤに表示することができる。
【００６１】
本発明は、上記実施例の他、以下の実施態様を含む。
ａ．ノーマルリーチＬＥＤ６やスーパーリーチＬＥＤ７に表示される数字は、オーバーフロー時には、『９９９』、『９９９の点滅』、『Ｆの点灯や点滅』、または０に戻ってカウントされる構成であっても良い。
【００６２】
ｂ．リーチ状態の感知に用いるセンサは、マイク（音を感知）や、感圧素子（振動を感知）であっても良い。
【００６３】
ｃ．リーチ回数は、数字以外に、その他、数値に対応した数字、数値に対応した長さのバー、数値に対応したＬＥＤ点灯数等であっても良い。
【図面の簡単な説明】
【図１】本発明の一実施例に係る、リーチ回数表示装置の表示部の外観を示す斜視図である。
【図２】そのリーチ回数表示装置のブロック図である。
【図３】そのリーチ回数表示装置の作動を示すフローチャートである。
【符号の説明】
１　リーチ判別部（リーチ状態判別手段）
２　光センサ（センサ）
３　ノーマルリーチカウント回路（リーチ回数加算手段）
４　スーパーリーチカウント回路（リーチ回数加算手段）
５　リセット回路（リセット手段）
６　ノーマルリーチＬＥＤ（リーチ回数表示器）
７　スーパーリーチＬＥＤ（リーチ回数表示器）
２０　センサ信号
Ａ　リーチ回数表示装置
Ｎ　ノーマルリーチカウンタ（リーチカウンタ）
Ｓ　スーパーリーチカウンタ（リーチカウンタ）
【図１】
2004049332.tif 000003
【図２】
2004049332.tif 000004
【図３】
2004049332.tif 000005